(57)【要約】【課題】情報を報告する方法および装置、帯域幅部分（ＢＷＰ）に基づく動作方法および装置、ユーザ機器、基地局、ならびにコンピュータ可読記憶媒体を提供すること。【解決手段】情報を報告する方法は、ランダム・アクセスの問題が発生していると判定することと、基地局に対して、ランダム・アクセスの問題が発生しているＢＷＰを報告することと、を含む。本開示の実施例によれば、ランダム・アクセスの問題が発生していると判定し、ランダム・アクセスの問題が発生しているＢＷＰを基地局に報告することによって、基地局は、ランダム・アクセスの問題が発生しているＢＷＰを判定してもよい。【選択図】図１
2021517419.tif 000002
【特許請求の範囲】
【請求項１】
ユーザ機器（ＵＥ）に適用可能な、情報を報告する方法であって、
ランダム・アクセスの問題が発生していると判定することと、
基地局に対して、該ランダム・アクセスの問題が発生している帯域幅部分（ＢＷＰ）を報告することと、を含む、方法。
【請求項２】
前記ランダム・アクセスの問題が発生していると判定することが、
ランダム・アクセスがマスタ・セル・グループ（ＭＣＧ）のプライマリ・セル（ＰＣｅｌｌ）で開始され、ランダム・アクセス・プリアンブルの送信回数が最大送信回数に達したことに応答して、前記ランダム・アクセスの問題が発生していることを示す第１の指示情報を、ＭＣＧ媒体アクセス制御（ＭＡＣ）レイヤから無線リソース制御（ＲＲＣ）レイヤに伝送することを含み、
前記基地局に対して、前記ランダム・アクセスの問題が発生している前記ＢＷＰを報告することが、
該ＲＲＣレイヤが該第１の指示情報を受信することと、
該ＲＲＣレイヤが、該第１の指示情報にしたがって、前記ランダム・アクセスの問題が発生している前記ＢＷＰを含むＭＣＧ無線リンク障害（ＲＬＦ）関連情報を格納することと、を含む、請求項１記載の方法。
【請求項３】
前記基地局に対して、前記ランダム・アクセスの問題が発生している前記ＢＷＰを報告することが、
接続確立、接続回復、または接続再確立を含む次の接続動作が開始される際に、前記ＵＥが前記ＭＣＧ  ＲＬＦ関連情報を格納していることを示す第２の指示情報を、前記基地局に伝送することと、
前記基地局から、前記ＭＣＧ  ＲＬＦ関連情報を獲得する要求を受信することと、
該要求に応答して、前記ＭＣＧ  ＲＬＦ関連情報を前記基地局に報告することと、を更に含む、請求項２記載の方法。
【請求項４】
前記ランダム・アクセスの問題が発生していると判定することが、
ランダム・アクセスがセカンダリ・セル・グループ（ＳＣＧ）のプライマリ・セカンダリ・セル（ＰＳＣｅｌｌ）で開始され、ランダム・アクセス・プリアンブルの送信回数が最大送信回数に達したことに応答して、前記ランダム・アクセスの問題が発生していることを示す第３の指示情報を、ＳＣＧ  ＭＡＣレイヤからＲＲＣレイヤに伝送することを含み、
前記基地局に対して、前記ランダム・アクセスの問題が発生している前記ＢＷＰを報告することが、
該ＲＲＣレイヤが該第３の指示情報を受信することと、
該ＲＲＣレイヤが、該第３の指示情報にしたがって、前記ランダム・アクセスの問題が発生している前記ＢＷＰを示す第４の指示情報を含む、ＳＣＧ障害情報を報告することと、を含む、請求項１記載の方法。
【請求項５】
前記基地局に対して、前記ランダム・アクセスの問題が発生している前記ＢＷＰを報告することが、
現在作動しているＢＷＰにランダム・アクセス資源があり、前記ランダム・アクセスの問題が発生している前記ＢＷＰが該現在作動しているＢＷＰではないことに応答して、前記基地局に対して、前記ランダム・アクセスの問題が発生している前記ＢＷＰを報告すること、または、
該現在作動しているＢＷＰにランダム・アクセス資源がなく、前記ランダム・アクセスの問題が発生している前記ＢＷＰが初期のＢＷＰではないことに応答して、前記基地局に対して、前記ランダム・アクセスの問題が発生している前記ＢＷＰを報告すること、を含む、請求項１記載の方法。
【請求項６】
前記ランダム・アクセスの問題が発生している前記ＢＷＰが、
前記ランダム・アクセスの問題が発生しているアップリンクＢＷＰ、または、
前記ランダム・アクセスの問題が発生しているダウンリンクＢＷＰ、の少なくとも１つを含む、請求項２から５のいずれか一項記載の方法。
【請求項７】
前記ＵＥが時分割複信（ＴＤＤ）モードであることに応答して、前記ランダム・アクセスの問題が発生している前記ＢＷＰが、前記ランダム・アクセスの問題が発生している前記アップリンクまたはダウンリンクＢＷＰを含み、
前記ＵＥが周波数分割複信（ＦＤＤ）モードであることに応答して、前記ランダム・アクセスの問題が発生している前記ＢＷＰが、前記ランダム・アクセスの問題が発生している前記アップリンクまたはダウンリンクＢＷＰを含む、請求項６記載の方法。
【請求項８】
基地局に適用可能な、帯域幅部分（ＢＷＰ）に基づく動作方法であって、
ＵＥから、ランダム・アクセスの問題が発生しているＢＷＰを受信することと、
該ＵＥに対して、該ランダム・アクセスの問題が発生している該ＢＷＰのランダム・アクセス・パラメータを再構成すること、または、該ランダム・アクセスの問題を別のデータ収集エンティティに報告して、該ランダム・アクセスの問題の原因を判定することと、を含む、方法。
【請求項９】
前記ＵＥから、前記ランダム・アクセスの問題が発生している前記ＢＷＰを受信することが、
前記ＵＥから、前記ＵＥが、前記ランダム・アクセスの問題が発生している前記ＢＷＰを含むＭＣＧ  ＲＬＦ関連情報を格納していることを示す、第２の指示情報を受信することと、
該ＭＣＧ  ＲＬＦ関連情報を獲得する要求を前記ＵＥに伝送することと、
該要求に応答して、前記ＵＥが報告した該ＭＣＧ  ＲＬＦ関連情報を受信することと、を含む、請求項８記載の方法。
【請求項１０】
前記ＵＥから、前記ランダム・アクセスの問題が発生している前記ＢＷＰを受信することが、
前記ＵＥから、前記ランダム・アクセスの問題が発生している前記ＢＷＰを示す第４の指示情報を含む、ＳＣＧ障害情報を受信することを含む、請求項８記載の方法。
【請求項１１】
前記ランダム・アクセスの問題が発生している前記ＢＷＰに関する報告が前記ＵＥから受信されておらず、現在作動しているＢＷＰにランダム・アクセス資源があることに応答して、該現在作動しているＢＷＰが前記ランダム・アクセスの問題が発生している前記ＢＷＰであると判定すること、または、
前記ランダム・アクセスの問題が発生している前記ＢＷＰに関する報告が前記ＵＥから受信されておらず、該現在作動しているＢＷＰにランダム・アクセス資源がないことに応答して、初期ＢＷＰが前記ランダム・アクセスの問題が発生している前記ＢＷＰであると判定すること、を更に含む、請求項８から１０のいずれか一項記載の方法。
【請求項１２】
ＵＥに適用可能な、情報を報告する装置であって、
ランダム・アクセスの問題が発生していると判定するように構成された、判定モジュールと、
基地局に対して、該判定モジュールが判定した該ランダム・アクセスの問題が発生しているＢＷＰを報告するように構成された、報告モジュールと、を備える、装置。
【請求項１３】
前記判定モジュールが、
ランダム・アクセスがＭＣＧのＰＣｅｌｌで開始され、ランダム・アクセス・プリアンブルの送信回数が最大送信回数に達したことに応答して、前記ランダム・アクセスの問題が発生していることを示す第１の指示情報をＲＲＣレイヤに伝送するように構成された、第１の判定サブモジュールを備え、
前記報告モジュールが、
該第１の指示情報を受信し、該第１の指示情報にしたがって、前記ランダム・アクセスの問題が発生している前記ＢＷＰを含むＭＣＧ  ＲＬＦ関連情報を格納するように構成された、受信および格納サブモジュールを備える、請求項１２記載の装置。
【請求項１４】
前記報告モジュールが、
接続確立、接続回復、または接続再確立を含む次の接続動作が開始される際に、前記ＵＥが前記ＭＣＧ  ＲＬＦ関連情報を格納していることを示す第２の指示情報を、前記基地局に伝送するように構成された、第１の伝送サブモジュールと、
前記基地局から、前記ＭＣＧ  ＲＬＦ関連情報を獲得する要求を受信するように構成された、第１の受信サブモジュールと、
該第１の受信サブモジュールが受信した該要求に応答して、前記ＭＣＧ  ＲＬＦ関連情報を前記基地局に報告するように構成された、第１の報告サブモジュールと、を更に備える、請求項１３記載の装置。
【請求項１５】
前記判定モジュールが、
前記ランダム・アクセスがＳＣＧのＰＳＣｅｌｌで開始され、ランダム・アクセス・プリアンブルの送信回数が最大送信回数に達したことに応答して、前記ランダム・アクセスの問題が発生していることを示す第３の指示情報をＲＲＣレイヤに伝送するように構成された、第２の判定サブモジュールを備え、
前記報告モジュールが、
該第３の指示情報を受信し、該第３の指示情報にしたがって、前記ランダム・アクセスの問題が発生している前記ＢＷＰを示す第４の指示情報を含む、ＳＣＧ障害情報を報告するように構成された、第２の報告サブモジュールを備える、請求項１２記載の装置。
【請求項１６】
前記報告モジュールが、
現在作動しているＢＷＰにランダム・アクセス資源があり、前記ランダム・アクセスの問題が発生している前記ＢＷＰが該現在作動しているＢＷＰではないことに応答して、前記基地局に対して、前記ランダム・アクセスの問題が発生している前記ＢＷＰを報告するように構成された、第３の報告サブモジュール、または、
該現在作動しているＢＷＰにランダム・アクセス資源がなく、前記ランダム・アクセスの問題が発生している前記ＢＷＰが初期ＢＷＰではないことに応答して、前記基地局に対して、前記ランダム・アクセスの問題が発生している前記ＢＷＰを報告するように構成された、第４の報告サブモジュール、を備える、請求項１２記載の装置。
【請求項１７】
前記ランダム・アクセスの問題が発生している前記ＢＷＰが、
前記ランダム・アクセスの問題が発生しているアップリンクＢＷＰ、または、
前記ランダム・アクセスの問題が発生しているダウンリンクＢＷＰ、の少なくとも１つを含む、請求項１３から１６のいずれか一項記載の装置。
【請求項１８】
前記ＵＥがＴＤＤモードであることに応答して、前記ランダム・アクセスの問題が発生している前記ＢＷＰが、前記ランダム・アクセスの問題が発生している前記アップリンクまたはダウンリンクＢＷＰを含み、
前記ＵＥがＦＤＤモードであることに応答して、前記ランダム・アクセスの問題が発生している前記ＢＷＰが、前記ランダム・アクセスの問題が発生している前記アップリンクまたはダウンリンクＢＷＰを含む、請求項１７記載の装置。
【請求項１９】
基地局に適用可能な、帯域幅部分（ＢＷＰ）に基づく動作装置であって、
ＵＥから、ランダム・アクセスの問題が発生しているＢＷＰを受信するように構成された、受信モジュールと、
該ＵＥに対して、該受信モジュールが受信した該ランダム・アクセスの問題が発生している該ＢＷＰのランダム・アクセス・パラメータを再構成するか、または、該受信モジュールが受信した該ＢＷＰに対応する該ランダム・アクセスの問題を別のデータ収集エンティティに報告して、該ランダム・アクセスの問題の原因を判定するように構成された、動作モジュールと、を備える、装置。
【請求項２０】
前記受信モジュールが、
前記ＵＥから、前記ＵＥが、前記ランダム・アクセスの問題が発生している前記ＢＷＰを含むＭＣＧ  ＲＬＦ関連情報を格納していることを示す、第２の指示情報を受信するように構成された、第１の受信サブモジュールと、
該ＭＣＧ  ＲＬＦ関連情報を獲得する要求を前記ＵＥに伝送するように構成された、第１の伝送サブモジュールと、
該第１の伝送サブモジュールが伝送した該要求に応答して、前記ＵＥが報告した該ＭＣＧ  ＲＬＦ関連情報を受信するように構成された、第２の受信サブモジュールと、を備える、請求項１９記載の装置。
【請求項２１】
前記受信モジュールが、
前記ＵＥから、前記ランダム・アクセスの問題が発生している前記ＢＷＰを示す第４の指示情報を含む、ＳＣＧ障害情報を受信するように構成された、第３の受信サブモジュールを備える、請求項１９記載の装置。
【請求項２２】
前記装置が、
前記ランダム・アクセスの問題が発生している前記ＢＷＰに関する報告が前記ＵＥから受信されておらず、現在作動しているＢＷＰにランダム・アクセス資源があることに応答して、該現在作動しているＢＷＰが前記ランダム・アクセスの問題が発生している前記ＢＷＰであると判定するように構成された、第１の判定モジュールを更に備え、
前記動作モジュールが、前記ＵＥに対して、該第１の判定モジュールが判定した前記ランダム・アクセスの問題が発生している前記ＢＷＰの前記ランダム・アクセス・パラメータを再構成するか、または、該第１の判定モジュールが判定した前記ＢＷＰに対応する前記ランダム・アクセスの問題を前記別のデータ収集エンティティに報告して、前記ランダム・アクセスの問題の前記原因を判定するように、更に構成され、あるいは、
前記装置が、
前記ランダム・アクセスの問題が発生している前記ＢＷＰに関する報告が前記ＵＥから受信されておらず、該現在作動しているＢＷＰにランダム・アクセス資源がないことに応答して、初期ＢＷＰが前記ランダム・アクセスの問題が発生している前記ＢＷＰであると判定するように構成された、第２の判定モジュールを更に備え、
前記動作モジュールが、前記ＵＥに対して、該第２の判定モジュールが判定した前記ランダム・アクセスの問題が発生している前記ＢＷＰの前記ランダム・アクセス・パラメータを再構成するか、または、該第２の判定モジュールが判定した前記ＢＷＰに対応する前記ランダム・アクセスの問題を前記別のデータ収集エンティティに報告して、前記ランダム・アクセスの問題の前記原因を判定するように、更に構成された、請求項１９から２１のいずれか一項記載の装置。
【請求項２３】
プロセッサと、
該プロセッサによって実行可能な命令を格納するメモリとを備え、
該プロセッサが、
ランダム・アクセスの問題が発生していると判定し、
基地局に対して、該ランダム・アクセスの問題が発生しているＢＷＰを報告するように構成された、ユーザ機器。
【請求項２４】
プロセッサと、
該プロセッサによって実行可能な命令を格納するメモリとを備え、
該プロセッサが、
ＵＥから、ランダム・アクセスの問題が発生しているＢＷＰを受信し、
該ＵＥに対して、該ランダム・アクセスの問題が発生している該ＢＷＰのランダム・アクセス・パラメータを再構成するか、または、該ランダム・アクセスの問題を別のデータ収集エンティティに報告して、該ランダム・アクセスの問題の原因を判定するように構成された、基地局。
【請求項２５】
請求項１から７のいずれか一項記載の前記情報を報告する方法を実施するためにプロセッサによって実行されるコンピュータ命令を格納する、コンピュータ可読記憶媒体。
【請求項２６】
請求項８から１１のいずれか一項記載の前記ＢＷＰに基づく動作方法を実施するためにプロセッサによって実行されるコンピュータ命令を格納する、コンピュータ可読記憶媒体。
【発明の詳細な説明】
【技術分野】
【０００１】
本開示は、通信技術の分野に関し、特に、情報を報告する方法および装置、帯域幅部分（ＢＷＰ）に基づく動作方法および装置、ユーザ機器、基地局、ならびにコンピュータ可読記憶媒体に関する。
【背景技術】
【０００２】
新無線（ＮＲ）では、ユーザ機器（ＵＥ）が、ランダム・アクセス障害があるときにプライマリ・セル（ＰＣｅｌｌ）においてランダム・アクセスを開始すると、ＵＥは、無線リンク障害（ＲＬＦ）がマスタ・セル・グループ（ＭＣＧ）で発生した、つまりＭＣＧ  ＲＬＦが発生していると判定する。ＵＥが、ランダム・アクセス障害があるときにプライマリ・セカンダリ・セル（ＰＳＣｅｌｌ）においてランダム・アクセスを開始すると、ＵＥは、セカンダリ・セル・グループ（ＳＣＧ）ＲＬＦが発生していると判定する。ＵＥが、ランダム・アクセス障害があるときに特殊セル（ＳｐＣｅｌｌ）以外のサービング・セル（例えば、ＳＣｅｌｌ）においてランダム・アクセスを開始すると、ＵＥは、ＲＬＦが発生していると判定するが、ＲＬＦ情報は報告しない。ＭＣＧ  ＲＬＦが発生したという判定に応答して、ＵＥは、関連する障害情報を記録し、接続再確立プロセスを開始し、次にネットワークに対して、新規発生障害の情報があることを示し、その情報は必要に応じてネットワークがＵＥから獲得してもよい。ＳＣＧ  ＲＬＦが発生したという判定に応答して、ＵＥはまた、関連する障害情報を記録し、ネットワークに対するＳＣＧ障害情報報告プロセスを開始する。
【０００３】
ＮＲによれば、セルにおいて接続状態にあるＵＥは、複数のアップリンク帯域幅部分（ＢＷＰ）またはダウンリンクＢＷＰを同時に伴って構成されてもよいが、同時に許容されるのは１つの作動しているアップリンクＢＷＰおよび１つの作動しているダウンリンクＢＷＰのみである。ネットワークは、物理ダウンリンク制御チャネル（ＰＤＣＣＨ）を介して異なるＢＷＰに切り替えるように、ＵＥに命令してもよい。通常、ＵＥは、作動しているＢＷＰにおいてランダム・アクセスを開始するが、作動しているＢＷＰにランダム・アクセス資源がない場合、ＵＥは、初期のアップリンクおよびダウンリンクＢＷＰに切り替えてランダム・アクセスを行う。この場合、ネットワークは、ＵＥが作動しているＢＷＰまたは初期のＢＷＰのどちらにおいてランダム・アクセスを開始するか分かっている。ＵＥが現在ランダム・アクセスを実施している場合、ＰＤＣＣＨを介して別のＢＷＰに切り替える命令を受信すると、ＵＥは、ＵＥのインプリメンテーションにしたがって、現在のＢＷＰにおいてランダム・アクセスを継続するか、または新しいＢＷＰに切り替えて新しいランダム・アクセスを行うかを判定してもよい。この場合、ランダム・アクセスの問題が発生したとき、ネットワークは、どのＢＷＰでランダム・アクセス障害が発生しているかが分からない場合がある。
【発明の概要】
【発明が解決しようとする課題】
【０００４】
このことに鑑みて、本出願は、ランダム・アクセスの問題が発生しているＢＷＰを報告し、それによって、ランダム・アクセスの問題が起こっているＢＷＰをネットワークが判定することができないという問題を解決する、情報を報告する方法および装置、ＢＷＰに基づく動作方法および装置、ユーザ機器、基地局、ならびにコンピュータ可読記憶媒体を開示する。
【課題を解決するための手段】
【０００５】
本開示の実施例の第１の態様によれば、情報を報告する方法が提供される。方法は、ＵＥに適用可能であり、
ランダム・アクセスの問題が発生していると判定することと、
基地局に対して、ランダム・アクセスの問題が発生している帯域幅部分（ＢＷＰ）を報告することと、を含む。
【０００６】
一実施例では、ランダム・アクセスの問題が発生していると判定することは、
ランダム・アクセスがマスタ・セル・グループ（ＭＣＧ）のプライマリ・セル（ＰＣｅｌｌ）で開始され、ランダム・アクセス・プリアンブルの送信回数が最大送信回数に達したことに応答して、ランダム・アクセスの問題が発生していることを示す第１の指示情報を、ＭＣＧ媒体アクセス制御（ＭＡＣ）レイヤから無線リソース制御（ＲＲＣ）レイヤに伝送することを含み、
基地局に対して、ランダム・アクセスの問題が発生しているＢＷＰを報告することは、ＲＲＣレイヤが第１の指示情報を受信することと、ＲＲＣレイヤが、第１の指示情報にしたがって、ランダム・アクセスの問題が発生しているＢＷＰを含むＭＣＧ無線リンク障害（ＲＬＦ）関連情報を格納することと、を含む。
【０００７】
一実施例では、基地局に対して、ランダム・アクセスの問題が発生しているＢＷＰを報告することは、
接続確立、接続回復、または接続再確立を含む次の接続動作が開始される際に、ＵＥがＭＣＧ  ＲＬＦ関連情報を格納していることを示す第２の指示情報を、基地局に伝送することと、
基地局から、ＭＣＧ  ＲＬＦ関連情報を獲得する要求を受信することと、
要求に応答して、ＭＣＧ  ＲＬＦ関連情報を基地局に報告することと、を更に含む。
【０００８】
一実施例では、ランダム・アクセスの問題が発生していると判定することは、
ランダム・アクセスがセカンダリ・セル・グループ（ＳＣＧ）のプライマリ・セカンダリ・セル（ＰＳＣｅｌｌ）で開始され、ランダム・アクセス・プリアンブルの送信回数が最大送信回数に達したことに応答して、ランダム・アクセスの問題が発生していることを示す第３の指示情報を、ＳＣＧ  ＭＡＣレイヤからＲＲＣレイヤに伝送することを含み、
基地局に対して、ランダム・アクセスの問題が発生しているＢＷＰを報告することは、
ＲＲＣレイヤが、第３の指示情報を受信することと、ＲＲＣレイヤが、第３の指示情報にしたがって、ランダム・アクセスの問題が発生しているＢＷＰを示す第４の指示情報を含む、ＳＣＧ障害情報を報告することと、を含む。
【０００９】
一実施例では、基地局に対して、ランダム・アクセスの問題が発生しているＢＷＰを報告することは、
現在作動しているＢＷＰにランダム・アクセス資源があり、ランダム・アクセスの問題が発生しているＢＷＰは現在作動しているＢＷＰではないことに応答して、基地局に対して、ランダム・アクセスの問題が発生しているＢＷＰを報告すること、または、
現在作動しているＢＷＰにランダム・アクセス資源がなく、ランダム・アクセスの問題が発生しているＢＷＰは初期のＢＷＰではないことに応答して、基地局に対して、ランダム・アクセスの問題が発生しているＢＷＰを報告すること、を含む。
【００１０】
一実施例では、ランダム・アクセスの問題が発生しているＢＷＰは、ランダム・アクセスの問題が発生しているアップリンクＢＷＰ、またはランダム・アクセスの問題が発生しているダウンリンクＢＷＰのうち少なくとも１つを含む。
【００１１】
一実施例では、ＵＥが時分割複信（ＴＤＤ）モードであることに応答して、ランダム・アクセスの問題が発生しているＢＷＰは、ランダム・アクセスの問題が発生しているアップリンクまたはダウンリンクＢＷＰを含み、
ＵＥが周波数分割複信（ＦＤＤ）モードであることに応答して、ランダム・アクセスの問題が発生しているＢＷＰは、ランダム・アクセスの問題が発生しているアップリンクまたはダウンリンクＢＷＰを含む。
【００１２】
本開示の実施例の第２の態様によれば、ＢＷＰに基づく動作方法が提供される。方法は、基地局に適用可能であり、
ＵＥから、ランダム・アクセスの問題が発生しているＢＷＰを受信することと、
ＵＥに対して、ランダム・アクセスの問題が発生しているＢＷＰのランダム・アクセス・パラメータを再構成すること、または、ランダム・アクセスの問題を別のデータ収集エンティティに報告して、ランダム・アクセスの問題の原因を判定することと、を含む。
【００１３】
一実施例では、ＵＥから、ランダム・アクセスの問題が発生しているＢＷＰを受信することは、
ＵＥから、ＵＥが、ランダム・アクセスの問題が発生しているＢＷＰを含むＭＣＧ  ＲＬＦ関連情報を格納していることを示す、第２の指示情報を受信することと、
ＭＣＧ  ＲＬＦ関連情報を獲得する要求をＵＥに伝送することと、
要求に応答して、ＵＥが報告したＭＣＧ  ＲＬＦ関連情報を受信することと、を含む。
【００１４】
一実施例では、ＵＥから、ランダム・アクセスの問題が発生しているＢＷＰを受信することは、
ＵＥから、ランダム・アクセスの問題が発生しているＢＷＰを示す第４の指示情報を含む、ＳＣＧ障害情報を受信することを含む。
【００１５】
一実施例では、方法は、
ランダム・アクセスの問題が発生しているＢＷＰに関する報告がＵＥから受信されておらず、現在作動しているＢＷＰにランダム・アクセス資源があることに応答して、現在作動しているＢＷＰがランダム・アクセスの問題が発生しているＢＷＰであると判定すること、または、
ランダム・アクセスの問題が発生しているＢＷＰに関する報告がＵＥから受信されておらず、現在作動しているＢＷＰにランダム・アクセス資源がないことに応答して、初期のＢＷＰがランダム・アクセスの問題が発生しているＢＷＰであると判定すること、を更に含む。
【００１６】
本開示の実施例の第３の態様によれば、情報を報告する装置が提供される。装置は、ＵＥに適用可能であり、
ランダム・アクセスの問題が発生していると判定するように構成された、判定モジュールと、
基地局に対して、判定モジュールが判定したランダム・アクセスの問題が発生しているＢＷＰを報告するように構成された、報告モジュールと、を含む。
【００１７】
一実施例では、判定モジュールは、
ランダム・アクセスがＭＣＧのＰＣｅｌｌで開始され、ランダム・アクセス・プリアンブルの送信回数が最大送信回数に達したことに応答して、ランダム・アクセスの問題が発生していることを示す第１の指示情報をＲＲＣレイヤに伝送するように構成された、第１の判定サブモジュールを含み、
報告モジュールは、
第１の指示情報を受信し、第１の指示情報にしたがって、ランダム・アクセスの問題が発生しているＢＷＰを含むＭＣＧ  ＲＬＦ関連情報を格納するように構成された、受信および格納サブモジュールを含む。
【００１８】
一実施例では、報告モジュールは、
接続確立、接続回復、または接続再確立を含む次の接続動作が開始される際に、ＵＥがＭＣＧ  ＲＬＦ関連情報を格納していることを示す第２の指示情報を、基地局に伝送するように構成された、第１の伝送サブモジュールと、
基地局から、ＭＣＧ  ＲＬＦ関連情報を獲得する要求を受信するように構成された、第１の受信サブモジュールと、
第１の受信サブモジュールが受信した要求に応答して、ＭＣＧ  ＲＬＦ関連情報を基地局に報告するように構成された、第１の報告サブモジュールと、を更に含む。
【００１９】
一実施例では、判定モジュールは、
ランダム・アクセスがＳＣＧのＰＳＣｅｌｌで開始され、ランダム・アクセス・プリアンブルの送信回数が最大送信回数に達したことに応答して、ランダム・アクセスの問題が発生していることを示す第３の指示情報をＲＲＣレイヤに伝送するように構成された、第２の判定サブモジュールを含み、
報告モジュールは、
第３の指示情報を受信し、第３の指示情報にしたがって、ランダム・アクセスの問題が発生しているＢＷＰを示す第４の指示情報を含む、ＳＣＧ障害情報を報告するように構成された、第２の報告サブモジュールを含む。
【００２０】
一実施例では、報告モジュールは、
現在作動しているＢＷＰにランダム・アクセス資源があり、ランダム・アクセスの問題が発生しているＢＷＰは現在作動しているＢＷＰではないことに応答して、基地局に対して、ランダム・アクセスの問題が発生しているＢＷＰを報告するように構成された、第３の報告サブモジュール、または、
現在作動しているＢＷＰにランダム・アクセス資源がなく、ランダム・アクセスの問題が発生しているＢＷＰは初期のＢＷＰではないことに応答して、基地局に対して、ランダム・アクセスの問題が発生しているＢＷＰを報告するように構成された、第４の報告サブモジュールを含む。
【００２１】
一実施例では、ランダム・アクセスの問題が発生しているＢＷＰは、ランダム・アクセスの問題が発生しているアップリンクＢＷＰ、またはランダム・アクセスの問題が発生しているダウンリンクＢＷＰのうち少なくとも１つを含む。
【００２２】
一実施例では、ＵＥがＴＤＤモードであることに応答して、ランダム・アクセスの問題が発生しているＢＷＰは、ランダム・アクセスの問題が発生しているアップリンクまたはダウンリンクＢＷＰを含み、
ＵＥがＦＤＤモードであることに応答して、ランダム・アクセスの問題が発生しているＢＷＰは、ランダム・アクセスの問題が発生しているアップリンクまたはダウンリンクＢＷＰを含む。
【００２３】
本開示の実施例の第４の態様によれば、ＢＷＰに基づく動作装置が提供される。装置は、基地局に適用可能であり、
ＵＥから、ランダム・アクセスの問題が発生しているＢＷＰを受信するように構成された、受信モジュールと、
ＵＥに対して、受信モジュールが受信したランダム・アクセスの問題が発生しているＢＷＰのランダム・アクセス・パラメータを再構成するか、または、受信モジュールが受信したＢＷＰに対応するランダム・アクセスの問題を別のデータ収集エンティティに報告して、ランダム・アクセスの問題の原因を判定するように構成された、動作モジュールと、を含む。
【００２４】
一実施例では、受信モジュールは、
ＵＥから、ＵＥが、ランダム・アクセスの問題が発生しているＢＷＰを含むＭＣＧ  ＲＬＦ関連情報を格納していることを示す、第２の指示情報を受信するように構成された、第１の受信サブモジュールと、
ＭＣＧ  ＲＬＦ関連情報を獲得する要求をＵＥに伝送するように構成された、第１の伝送サブモジュールと、
第１の伝送サブモジュールが伝送した要求に応答して、ＵＥが報告したＭＣＧ  ＲＬＦ関連情報を受信するように構成された、第２の受信サブモジュールと、を含む。
【００２５】
一実施例では、受信モジュールは、
ＵＥから、ランダム・アクセスの問題が発生しているＢＷＰを示す第４の指示情報を含む、ＳＣＧ障害情報を受信するように構成された、第３の受信サブモジュールを含む。
【００２６】
一実施例では、装置は、
ランダム・アクセスの問題が発生しているＢＷＰに関する報告がＵＥから受信されておらず、現在作動しているＢＷＰにランダム・アクセス資源があることに応答して、現在作動しているＢＷＰがランダム・アクセスの問題が発生しているＢＷＰであると判定するように構成された、第１の判定モジュールを更に含み、
動作モジュールは、ＵＥに対して、第１の判定モジュールが判定したランダム・アクセスの問題が発生しているＢＷＰのランダム・アクセス・パラメータを再構成するか、または、第１の判定モジュールが判定したＢＷＰに対応するランダム・アクセスの問題を別のデータ収集エンティティに報告して、ランダム・アクセスの問題の原因を判定するように、更に構成され、あるいは、
装置は、
ランダム・アクセスの問題が発生しているＢＷＰに関する報告がＵＥから受信されておらず、現在作動しているＢＷＰにランダム・アクセス資源がないことに応答して、初期のＢＷＰがランダム・アクセスの問題が発生しているＢＷＰであると判定するように構成された、第２の判定モジュールを更に含み、
動作モジュールは、ＵＥに対して、第２の判定モジュールが判定したランダム・アクセスの問題が発生しているＢＷＰのランダム・アクセス・パラメータを再構成するか、または、第２の判定モジュールが判定したＢＷＰに対応するランダム・アクセスの問題を別のデータ収集エンティティに報告して、ランダム・アクセスの問題の原因を判定するように、更に構成される。
【００２７】
本開示の実施例の第５の態様によれば、ユーザ機器が提供され、ユーザ機器は、
プロセッサと、
プロセッサによって実行可能な命令を格納するメモリとを備え、
プロセッサは、
ランダム・アクセスの問題が発生していると判定し、
基地局に対して、ランダム・アクセスの問題が発生しているＢＷＰを報告するように構成される。
【００２８】
本開示の実施例の第６の態様によれば、基地局が提供され、基地局は、
プロセッサと、
プロセッサによって実行可能な命令を格納するメモリとを備え、
プロセッサは、
ＵＥから、ランダム・アクセスの問題が発生しているＢＷＰを受信し、
ＵＥに対して、ランダム・アクセスの問題が発生しているＢＷＰのランダム・アクセス・パラメータを再構成するか、または、ランダム・アクセスの問題を別のデータ収集エンティティに報告して、ランダム・アクセスの問題の原因を判定するように構成される。
【００２９】
本開示の実施例の第７の態様によれば、上述したような情報を報告する方法を実施するためにプロセッサによって実行されるコンピュータ命令を格納する、コンピュータ可読記憶媒体が提供される。
【００３０】
本開示の実施例の第８の態様によれば、上述したようなＢＷＰに基づく動作方法を実施するためにプロセッサによって実行されるコンピュータ命令を格納する、コンピュータ可読記憶媒体が提供される。
【００３１】
本開示の実施例によって提供される技術的解決策は、以下の有益な効果を含むことができる。
【００３２】
ランダム・アクセスの問題が発生していると判定し、ランダム・アクセスの問題が発生しているＢＷＰを基地局に報告することによって、基地局は、ランダム・アクセスの問題が発生しているＢＷＰを判定してもよい。
【００３３】
ＵＥから、ランダム・アクセスの問題が発生しているＢＷＰを受信し、ＵＥに対して、ランダム・アクセスの問題が発生しているＢＷＰのランダム・アクセス・パラメータを再構成するか、または、ランダム・アクセスの問題を別のデータ収集エンティティに報告して、ランダム・アクセスの問題の原因を判定することによって、基地局は、ランダム・アクセスの問題が発生しているＢＷＰを判定し、これに基づいて、対応する動作を実施してもよい。
【００３４】
上記の概要説明および以下の詳細な説明は、単に例示および説明のためのものであり、本開示を制限するものではないことが理解されるべきである。
【００３５】
本明細書に組み込まれその一部を構成する添付図面は、本開示と一致する実施例を例示し、明細書と併せて本開示の原理を説明する役割を果たす。
【図面の簡単な説明】
【００３６】
【図１】本開示の一実施例による情報を報告する方法を示すフローチャートである。
【図２】本開示の一実施例によるＢＷＰに基づく動作方法を示すフローチャートである。
【図３】本開示の一実施例によるＢＷＰに基づく動作方法を示す信号伝送のフローチャートである。
【図４】一実施例による情報を報告する装置を示すブロック図である。
【図５】一実施例による別の情報を報告する装置を示すブロック図である。
【図６】一実施例による別の情報を報告する装置を示すブロック図である。
【図７】一実施例による別の情報を報告する装置を示すブロック図である。
【図８】一実施例による別の情報を報告する装置を示すブロック図である。
【図９】一実施例によるＢＷＰに基づく動作装置を示すブロック図である。
【図１０】一実施例による別のＢＷＰに基づく動作装置を示すブロック図である。
【図１１】一実施例による別のＢＷＰに基づく動作装置を示すブロック図である。
【図１２】一実施例による別のＢＷＰに基づく動作装置を示すブロック図である。
【図１３】一実施例による情報を報告するのに適した装置を示すブロック図である。
【図１４】一実施例によるＢＷＰに基づいて動作するのに適した装置を示すブロック図である。
【発明を実施するための形態】
【００３７】
実施例について、図面に表される例示とともに本明細書に詳細に記載する。以下の説明に図面が関与する場合、異なる図面における同様の番号は、別段の指示がない限り、同様または類似の要素を指す。以下の実施例に記載される実施形態は、本開示と一致する全ての実施形態を表すものではない。それよりもむしろ、添付の請求の範囲に詳述されるような本開示のいくつかの態様と一致する装置および方法の単なる例である。
【００３８】
図１は、本開示の一実施例による情報を報告する方法を示すフローチャートである。この実施例はＵＥ側から説明する。図１に示されるように、情報を報告する方法は以下のステップを含む。
【００３９】
ステップＳ１０１で、ランダム・アクセスの問題が発生していると判定される。
【００４０】
異なるシナリオに対しては、接続状態のＵＥは、ランダム・アクセスの問題が発生していることを多数の手法で判定してもよい。例えば、ＵＥは、ランダム・アクセスの問題が発生していることを以下の手法で判定する。
【００４１】
手法１１：ランダム・アクセスがＭＣＧのＰＣｅｌｌにおいて開始され、ランダム・アクセス・プリアンブルの送信回数が最大送信回数に達した場合、ランダム・アクセスの問題が発生したことを示す第１の指示情報が、ＭＣＧ媒体アクセス制御（ＭＡＣ）レイヤから無線リソース制御（ＲＲＣ）レイヤに伝送される。
【００４２】
手法１２：ランダム・アクセスがＳＣＧのＰＳＣｅｌｌにおいて開始され、ランダム・アクセス・プリアンブルの送信回数が最大送信回数に達した場合、ランダム・アクセスの問題が発生していることを示す第３の指示情報が、ＳＣＧ  ＭＡＣレイヤからＲＲＣレイヤに伝送される。
【００４３】
ステップＳ１０２で、ランダム・アクセスの問題が発生しているＢＷＰが基地局に報告される。
【００４４】
ランダム・アクセスの問題が発生しているＢＷＰが判定された後、ランダム・アクセスの問題が発生しているＢＷＰが基地局に報告されてもよい。
【００４５】
この実施例では、手法１１によってランダム・アクセスの問題が発生していると判定すると、ランダム・アクセスの問題が発生しているＢＷＰは、ＲＲＣレイヤが、第１の指示情報を受信し、第１の指示情報にしたがって、ランダム・アクセスの問題が発生しているＢＷＰを含むＭＣＧ  ＲＬＦ関連情報を格納するという手順で、基地局に報告されてもよい。ＭＣＧ  ＲＬＦ関連情報を格納すると、ＵＥは、基地局に、ランダム・アクセスの問題が発生しているＢＷＰを報告してもよい。例えば、次の接続動作が開始されるとき、ＵＥがＭＣＧ  ＲＬＦ関連情報を格納していることを示す第２の指示情報が、基地局に伝送されてもよい。ＵＥは、ＭＣＧ  ＲＬＦ関連情報を獲得する要求を基地局から受信し、要求に応答してＭＣＧ  ＲＬＦ関連情報を基地局に報告する。
【００４６】
次の接続動作は、接続確立、接続回復、接続再確立などを含んでもよい。ＭＣＧ  ＲＬＦ関連情報はＲＬＦ−Ｒｅｐｏｒｔに格納されてもよい。
【００４７】
この実施例では、手法１２によってランダム・アクセスの問題が発生していると判定すると、ランダム・アクセスの問題が発生しているＢＷＰは、ＲＲＣレイヤが、第３の指示情報を受信し、第３の指示情報にしたがって、ランダム・アクセスの問題が発生しているＢＷＰを示す第４の指示情報を含むＳＣＧ障害情報を報告するという手順で、基地局に報告されてもよい。
【００４８】
それに加えて、任意に、ランダム・アクセスの問題が発生しているＢＷＰをＵＥが判定した後、現在作動しているＢＷＰにランダム・アクセス資源があり、ランダム・アクセスの問題が発生しているＢＷＰが現在作動しているＢＷＰではないことに応答して、ＵＥは基地局に、ランダム・アクセスの問題が発生しているＢＷＰを報告する。
【００４９】
更に、任意に、ランダム・アクセスの問題が発生しているＢＷＰをＵＥが判定した後、現在作動しているＢＷＰにランダム・アクセス資源がなく、ランダム・アクセスの問題が発生しているＢＷＰが初期のＢＷＰではないことに応答して、ＵＥは基地局に、ランダム・アクセスの問題が発生しているＢＷＰを報告する。
【００５０】
ランダム・アクセスの問題が発生しているＢＷＰは、ランダム・アクセスの問題が発生しているアップリンク（ＵＬ）ＢＷＰ、またはランダム・アクセスの問題が発生しているダウンリンク（ＤＬ）ＢＷＰのうち少なくとも１つを含んでもよい。ＵＥが時分割複信（ＴＤＤ）モードの場合、ランダム・アクセスの問題が発生しているＢＷＰは、ランダム・アクセスの問題が発生しているアップリンクＢＷＰ、またはランダム・アクセスの問題が発生しているダウンリンクＢＷＰを含む。ＵＥが周波数分割複信（ＦＤＤ）モードの場合、ランダム・アクセスの問題が発生しているＢＷＰは、ランダム・アクセスの問題が発生しているアップリンクＢＷＰ、またはランダム・アクセスの問題が発生しているダウンリンクＢＷＰを含む。
【００５１】
この実施例では、ＢＷＰは、ＵＬ  ＢＷＰインデックスまたはＤＬ  ＢＷＰインデックスによって識別される。ＴＤＤモードの場合、ＵＬ  ＢＷＰはＤＬ  ＢＷＰと対にされるので、ＵＬ  ＢＷＰインデックスまたはＤＬ  ＢＷＰインデックスのみを示すことが可能である。ＦＤＤモードの場合、ＵＬ  ＢＷＰおよびＤＬ  ＢＷＰは完全に独立しているが、ランダム・アクセスのＵＬ  ＢＷＰおよびＤＬ  ＢＷＰはマッピング関係を有する。例えば、複数のＵＬ  ＢＷＰが単一のＤＬ  ＢＷＰにマッピングされてもよく、または単一のＵＬ  ＢＷＰが複数のＤＬ  ＢＷＰにマッピングされてもよい。したがって、ＵＬ  ＢＷＰがＤＬ  ＢＷＰを一意に決定できる場合、ＵＬ  ＢＷＰインデックスのみが示されてもよく、またはＤＬ  ＢＷＰがＵＬ  ＢＷＰを一意に決定できる場合、ＤＬ  ＢＷＰインデックスのみが示されてもよい。
【００５２】
この実施例では、ランダム・アクセスの問題が発生していると判定し、基地局に対して、ランダム・アクセスの問題が発生しているＢＷＰを報告することによって、基地局は、ランダム・アクセスの問題が発生しているＢＷＰを判定してもよい。
【００５３】
図２は、本開示の一実施例によるＢＷＰに基づく動作方法を示すフローチャートである。この実施例は基地局側から説明する。図２に示されるように、方法は以下のステップを含む。
【００５４】
ステップＳ２０１で、ランダム・アクセスの問題が発生しているＢＷＰがＵＥから受信される。
【００５５】
異なるシナリオに対しては、基地局は、ＵＥから、ランダム・アクセスの問題が発生しているＢＷＰを別の手法で受信してもよい。
【００５６】
手法２１：ＵＥが、ランダム・アクセス問題が発生しているＢＷＰを含むＭＣＧ  ＲＬＦ関連情報を格納することを示す第２の指示情報が、ＵＥから受信され、ＭＣＧ  ＲＬＦ関連情報を獲得する要求がＵＥに伝送され、要求に応答してＵＥから報告されるＭＣＧ  ＲＬＦ関連情報が受信される。
【００５７】
手法２２：ランダム・アクセスの問題が発生しているＢＷＰを示す第４の指示情報を含むＳＣＧ障害情報が、ＵＥから受信される。
【００５８】
それに加えて、任意に、方法は、ランダム・アクセスの問題が発生しているＢＷＰに関する報告がＵＥから受信されておらず、現在作動しているＢＷＰにランダム・アクセス資源があることに応答して、現在作動しているＢＷＰがランダム・アクセスの問題が発生しているＢＷＰであると判定することを更に含んでもよい。
【００５９】
更に、任意に、方法は、ランダム・アクセスの問題が発生しているＢＷＰに関する報告がＵＥから受信されておらず、現在作動しているＢＷＰにランダム・アクセス資源がないことに応答して、初期のＢＷＰがランダム・アクセスの問題が発生しているＢＷＰであると判定することを更に含んでもよい。
【００６０】
ステップＳ２０２で、ランダム・アクセスの問題が発生しているＢＷＰのランダム・アクセス・パラメータが、ＵＥに対して再構成されるか、または、ランダム・アクセスの問題が別のデータ収集エンティティに報告されて、ランダム・アクセスの問題の原因が判定される。
【００６１】
ランダム・アクセスの問題が発生しているＢＷＰをＵＥから受信すると、基地局は、ＵＥに対して、ランダム・アクセスの問題が発生しているＢＷＰのランダム・アクセス・パラメータを再構成してもよく、それによってＵＥがランダム・アクセスを再実施してもよい。
【００６２】
別のデータ収集エンティティは、トレース収集エンティティであってもよい。ランダム・アクセスの問題を基地局から受信した後、トレース収集エンティティは、問題を分析して問題の原因を判定する。
【００６３】
上述の実施例では、ランダム・アクセスの問題が発生しているＢＷＰがＵＥから受信され、ランダム・アクセスの問題が発生しているＢＷＰのランダム・アクセス・パラメータがＵＥに対して再構成されるか、または、ランダム・アクセスの問題が別のデータ収集エンティティに報告されて、ランダム・アクセスの問題の原因が判定される。このように、基地局は、ランダム・アクセスの問題が発生しているＢＷＰを判定し、これに基づいて、対応する動作を実施してもよい。
【００６４】
図３は、本開示の一実施例によるＢＷＰに基づく動作方法を示す信号伝送のフローチャートである。この実施例は、ＵＥと基地局との間の相互作用の観点から説明する。図３に示されるように、方法は以下のステップを含む。
【００６５】
ステップＳ３０１で、ＵＥは、ランダム・アクセスの問題が発生していると判定する。
【００６６】
ステップＳ３０２で、ＵＥは、基地局に、ランダム・アクセスの問題が発生しているＢＷＰを報告する。
【００６７】
ステップＳ３０３で、基地局は、ＵＥから、ランダム・アクセスの問題が発生しているＢＷＰを受信する。
【００６８】
ステップＳ３０４で、基地局は、ＵＥに対して、ランダム・アクセスの問題が発生しているＢＷＰのランダム・アクセス・パラメータを再構成する。
【００６９】
この実施例では、基地局とＵＥとの間の相互作用によって、基地局は、ランダム・アクセスの問題が発生しているＢＷＰをＵＥから受信し、ランダム・アクセスの問題が発生しているＢＷＰのランダム・アクセス・パラメータを、ＵＥに対して再構成してもよく、それによってＵＥはランダム・アクセスを再実施してもよい。
【００７０】
図４は、一実施例による情報を報告する装置を示すブロック図である。この装置はＵＥに配置されてもよい。図４に示されるように、装置は、判定モジュール４１と報告モジュール４２とを含む。
【００７１】
判定モジュール４１は、ランダム・アクセスの問題が発生していると判定するように構成される。
【００７２】
報告モジュール４２は、基地局に対して、判定モジュール４１が判定したランダム・アクセスの問題が発生しているＢＷＰを報告するように構成される。
【００７３】
上述の実施例では、ランダム・アクセスの問題が発生していると判定し、基地局に対して、ランダム・アクセスの問題が発生しているＢＷＰを報告することによって、基地局は、ランダム・アクセスの問題が発生しているＢＷＰを判定してもよい。
【００７４】
図５は、一実施例による別の情報を報告する装置を示すブロック図である。図５に示されるように、図４に示される実施例に基づいて、判定モジュール４１は第１の判定サブモジュール４１１を含んでもよい。
【００７５】
第１の判定サブモジュール４１１は、ランダム・アクセスがＭＣＧのＰＣｅｌｌで開始され、ランダム・アクセス・プリアンブルの送信回数が最大送信回数に達したことに応答して、ランダム・アクセスの問題が発生していることを示す第１の指示情報をＲＲＣレイヤに伝送するように構成される。
【００７６】
第１の判定サブモジュール４１１はＭＣＧ  ＭＡＣレイヤに配置される。
【００７７】
報告モジュール４２は、受信および格納サブモジュール４２１を含んでもよい。
【００７８】
受信および格納サブモジュール４２１は、第１の指示情報を受信し、第１の指示情報にしたがって、ランダム・アクセスの問題が発生しているＢＷＰを含むＭＣＧ  ＲＬＦ関連情報を格納するように構成される。
【００７９】
受信および格納サブモジュール４２１は、ＲＲＣレイヤに配置されてもよい。
【００８０】
ランダム・アクセスの問題が発生しているＢＷＰは、ランダム・アクセスの問題が発生しているアップリンクＢＷＰ、またはランダム・アクセスの問題が発生しているダウンリンクＢＷＰのうち少なくとも１つを含んでもよい。ＵＥがＴＤＤモードである場合、ランダム・アクセスの問題が発生しているＢＷＰは、ランダム・アクセスの問題が発生しているアップリンクまたはダウンリンクＢＷＰを含む。ＵＥがＦＤＤモードである場合、ランダム・アクセスの問題が発生しているＢＷＰは、ランダム・アクセスの問題が発生しているアップリンクまたはダウンリンクＢＷＰを含む。
【００８１】
この実施例では、ＢＷＰは、ＵＬ  ＢＷＰインデックスまたはＤＬ  ＢＷＰインデックスによって識別される。ＴＤＤモードの場合、ＵＬ  ＢＷＰはＤＬ  ＢＷＰと対にされるので、ＵＬ  ＢＷＰインデックスまたはＤＬ  ＢＷＰインデックスのみを示すことが可能である。ＦＤＤモードの場合、ＵＬ  ＢＷＰおよびＤＬ  ＢＷＰは完全に独立しているが、ランダム・アクセスのＵＬ  ＢＷＰおよびＤＬ  ＢＷＰはマッピング関係を有する。例えば、複数のＵＬ  ＢＷＰが単一のＤＬ  ＢＷＰにマッピングされてもよく、または単一のＵＬ  ＢＷＰが複数のＤＬ  ＢＷＰにマッピングされてもよい。したがって、ＵＬ  ＢＷＰがＤＬ  ＢＷＰを一意に決定できる場合、ＵＬ  ＢＷＰインデックスのみが示されてもよく、またはＤＬ  ＢＷＰがＵＬ  ＢＷＰを一意に決定できる場合、ＤＬ  ＢＷＰインデックスのみが示されてもよい。
【００８２】
上述の実施例では、ランダム・アクセスがマスタ・セル・グループ（ＭＣＧ）のプライマリ・セル（ＰＣｅｌｌ）で開始され、ランダム・アクセス・プリアンブルの送信回数が最大送信回数に達すると、第１の指示情報がＲＲＣレイヤに伝送され、それによってランダム・アクセスの問題が発生していると判定され、ＭＣＧ無線リンク障害（ＲＬＦ）関連情報が格納されて、基地局が続いてランダム・アクセスの問題が発生しているＢＷＰを判定するための条件が提供される。
【００８３】
図６は、一実施例による別の情報を報告する装置を示すブロック図である。図６に示されるように、図５に示される実施例に基づいて、報告モジュール４２は、第１の伝送サブモジュール４２２と、第１の受信サブモジュール４２３と、第１の報告サブモジュール４２４とを更に含んでもよい。
【００８４】
第１の伝送サブモジュール４２２は、接続確立、接続回復、または接続再確立を含む次の接続動作が開始されるとき、ＵＥがＭＣＧ  ＲＬＦ関連情報を格納していることを示す第２の指示情報を、基地局に伝送するように構成される。
【００８５】
次の接続動作は、接続確立、接続回復、接続再確立などを含んでもよい。ＭＣＧ  ＲＬＦ関連情報はＲＬＦ−Ｒｅｐｏｒｔに格納されてもよい。
【００８６】
第１の受信サブモジュール４２３は、基地局から、ＭＣＧ  ＲＬＦ関連情報を獲得する要求を受信するように構成される。
【００８７】
第１の報告サブモジュール４２４は、第１の受信サブモジュール４２３が受信した要求に応答して、ＭＣＧ  ＲＬＦ関連情報を基地局に報告するように構成される。
【００８８】
上述の実施例では、次の接続動作が開始されると、第２の指示情報が基地局に伝送され、ＭＣＧ  ＲＬＦ関連情報を獲得する要求が基地局から受信され、第１の受信サブモジュールから受信した要求に応答して、ＭＣＧ  ＲＬＦ関連情報が基地局に報告される。このように、基地局は、ランダム・アクセスの問題が発生しているＢＷＰを判定してもよい。
【００８９】
図７は、一実施例による別の情報を報告する装置を示すブロック図である。図７に示されるように、図４に示される実施例に基づいて、判定モジュール４１は第２の判定サブモジュール４１２を含んでもよい。
【００９０】
第２の判定サブモジュール４１２は、ランダム・アクセスがＳＣＧのＰＳＣｅｌｌで開始され、ランダム・アクセス・プリアンブルの送信回数が最大送信回数に達したことに応答して、ランダム・アクセスの問題が発生していることを示す第３の指示情報をＲＲＣレイヤに伝送するように構成される。
【００９１】
第２の判定サブモジュール４１２はＳＣＧ  ＭＡＣレイヤに配置される。
【００９２】
報告モジュール４２は、第２の報告サブモジュール４２５を含んでもよい。
【００９３】
第２の報告サブモジュール４２５は、第３の指示情報を受信し、第３の指示情報にしたがって、ランダム・アクセスの問題が発生しているＢＷＰを示す第４の指示情報を含む、ＳＣＧ障害情報を報告するように構成される。
【００９４】
第２の報告サブモジュール４２５は、ＲＲＣレイヤに配置されてもよい。
【００９５】
ランダム・アクセスの問題が発生しているＢＷＰは、ランダム・アクセスの問題が発生しているアップリンクＢＷＰ、またはランダム・アクセスの問題が発生しているダウンリンクＢＷＰのうち少なくとも１つを含んでもよい。ＵＥがＴＤＤモードである場合、ランダム・アクセスの問題が発生しているＢＷＰは、ランダム・アクセスの問題が発生しているアップリンクまたはダウンリンクＢＷＰを含む。ＵＥがＦＤＤモードである場合、ランダム・アクセスの問題が発生しているＢＷＰは、ランダム・アクセスの問題が発生しているアップリンクまたはダウンリンクＢＷＰを含む。
【００９６】
この実施例では、ＢＷＰは、ＵＬ  ＢＷＰインデックスまたはＤＬ  ＢＷＰインデックスによって識別される。ＴＤＤモードの場合、ＵＬ  ＢＷＰはＤＬ  ＢＷＰと対にされるので、ＵＬ  ＢＷＰインデックスまたはＤＬ  ＢＷＰインデックスのみを示すことが可能である。ＦＤＤモードの場合、ＵＬ  ＢＷＰおよびＤＬ  ＢＷＰは完全に独立しているが、ランダム・アクセスのＵＬ  ＢＷＰおよびＤＬ  ＢＷＰはマッピング関係を有する。例えば、複数のＵＬ  ＢＷＰが単一のＤＬ  ＢＷＰにマッピングされてもよく、または単一のＵＬ  ＢＷＰが複数のＤＬ  ＢＷＰにマッピングされてもよい。したがって、ＵＬ  ＢＷＰがＤＬ  ＢＷＰを一意に決定できる場合、ＵＬ  ＢＷＰインデックスのみが示されてもよく、またはＤＬ  ＢＷＰがＵＬ  ＢＷＰを一意に決定できる場合、ＤＬ  ＢＷＰインデックスのみが示されてもよい。
【００９７】
上述の実施例では、ランダム・アクセスがＳＣＧのＰＳＣｅｌｌで開始され、ランダム・アクセス・プリアンブルの送信回数が最大送信回数に達すると、ランダム・アクセスの問題が発生していることを示す第３の指示情報がＲＲＣレイヤに伝送され、第３の指示情報にしたがってＳＣＧ障害情報が報告される。このように、基地局は、ランダム・アクセスの問題が発生しているＢＷＰを判定してもよい。
【００９８】
図８は、一実施例による別の情報を報告する装置を示すブロック図である。図８に示されるように、図４に示される実施例に基づいて、報告モジュール４２は第３の報告サブモジュール４２６または第４の報告サブモジュール４２７を含んでもよい。
【００９９】
第３の報告サブモジュール４２６は、現在作動しているＢＷＰにランダム・アクセス資源があり、ランダム・アクセスの問題が発生しているＢＷＰは現在作動しているＢＷＰではないことに応答して、基地局に対して、ランダム・アクセスの問題が発生しているＢＷＰを報告するように構成される。
【０１００】
第４の報告サブモジュール４２７は、現在作動しているＢＷＰにランダム・アクセス資源がなく、ランダム・アクセスの問題が発生しているＢＷＰは初期のＢＷＰではないことに応答して、基地局に対して、ランダム・アクセスの問題が発生しているＢＷＰを報告するように構成される。
【０１０１】
ランダム・アクセスの問題が発生しているＢＷＰは、ランダム・アクセスの問題が発生しているアップリンクＢＷＰ、またはランダム・アクセスの問題が発生しているダウンリンクＢＷＰのうち少なくとも１つを含んでもよい。ＵＥがＴＤＤモードである場合、ランダム・アクセスの問題が発生しているＢＷＰは、ランダム・アクセスの問題が発生しているアップリンクまたはダウンリンクＢＷＰを含む。ＵＥがＦＤＤモードである場合、ランダム・アクセスの問題が発生しているＢＷＰは、ランダム・アクセスの問題が発生しているアップリンクまたはダウンリンクＢＷＰを含む。
【０１０２】
この実施例では、ＢＷＰは、ＵＬ  ＢＷＰインデックスまたはＤＬ  ＢＷＰインデックスによって識別される。ＴＤＤモードの場合、ＵＬ  ＢＷＰはＤＬ  ＢＷＰと対にされるので、ＵＬ  ＢＷＰインデックスまたはＤＬ  ＢＷＰインデックスのみを示すことが可能である。ＦＤＤモードの場合、ＵＬ  ＢＷＰおよびＤＬ  ＢＷＰは完全に独立しているが、ランダム・アクセスのＵＬ  ＢＷＰおよびＤＬ  ＢＷＰはマッピング関係を有する。例えば、複数のＵＬ  ＢＷＰが単一のＤＬ  ＢＷＰにマッピングされてもよく、または単一のＵＬ  ＢＷＰが複数のＤＬ  ＢＷＰにマッピングされてもよい。したがって、ＵＬ  ＢＷＰがＤＬ  ＢＷＰを一意に決定できる場合、ＵＬ  ＢＷＰインデックスのみが示されてもよく、またはＤＬ  ＢＷＰがＵＬ  ＢＷＰを一意に決定できる場合、ＤＬ  ＢＷＰインデックスのみが示されてもよい。
【０１０３】
上述の実施例では、現在作動しているＢＷＰにランダム・アクセス資源があり、ランダム・アクセスの問題が発生しているＢＷＰが現在作動しているＢＷＰではないとき、ランダム・アクセスの問題が発生しているＢＷＰは基地局に報告される。あるいは、現在作動しているＢＷＰにランダム・アクセス資源がなく、ランダム・アクセスの問題が発生しているＢＷＰが初期のＢＷＰではないとき、ランダム・アクセスの問題が発生しているＢＷＰは基地局に報告される。このように、基地局は、ランダム・アクセスの問題が発生しているＢＷＰを判定してもよい。
【０１０４】
図９は、一実施例によるＢＷＰに基づく動作装置を示すブロック図である。装置は基地局に配置されてもよい。図９に示されるように、装置は、受信モジュール９１と動作モジュール９２とを含む。
【０１０５】
受信モジュール９１は、ユーザ機器（ＵＥ）から、ランダム・アクセスの問題が発生しているＢＷＰを受信するように構成される。
【０１０６】
動作モジュール９２は、ＵＥに対して、受信モジュールが受信したランダム・アクセスの問題が発生しているＢＷＰのランダム・アクセス・パラメータを再構成するか、または、受信モジュールが受信したＢＷＰに対応するランダム・アクセスの問題を別のデータ収集エンティティに報告して、ランダム・アクセスの問題の原因を判定するように構成される。
【０１０７】
上述の実施例では、ランダム・アクセスの問題が発生しているＢＷＰがＵＥから受信され、ランダム・アクセスの問題が発生しているＢＷＰのランダム・アクセス・パラメータがＵＥに対して再構成されるか、または、ランダム・アクセスの問題が別のデータ収集エンティティに報告されて、ランダム・アクセスの問題の原因が判定される。このように、基地局は、ランダム・アクセスの問題が発生しているＢＷＰを判定し、これに基づいて、対応する動作を実施してもよい。
【０１０８】
図１０は、一実施例による別のＢＷＰに基づく動作装置を示すブロック図である。図１０に示されるように、図９に示される実施例に基づいて、受信モジュール９１は、第１の受信サブモジュール９１１と、第１の伝送サブモジュール９１２と、第２の受信サブモジュール９１３とを含んでもよい。
【０１０９】
第１の受信サブモジュール９１１は、ＵＥから、ＵＥが、ランダム・アクセスの問題が発生しているＢＷＰを含むＭＣＧ  ＲＬＦ関連情報を格納していることを示す、第２の指示情報を受信するように構成される。
【０１１０】
第１の伝送サブモジュール９１２は、ＭＣＧ  ＲＬＦ関連情報を獲得する要求をＵＥに伝送するように構成される。
【０１１１】
第２の受信サブモジュール９１３は、第１の伝送サブモジュール９１２が伝送した要求に応答して、ＵＥが報告したＭＣＧ  ＲＬＦ関連情報を受信するように構成される。
【０１１２】
上述の実施例では、第２の指示情報がＵＥから受信され、ＭＣＧ  ＲＬＦ関連情報を獲得する要求がＵＥに伝送され、第１の伝送サブモジュールが伝送した要求に応答して、ＵＥが報告したＭＣＧ  ＲＬＦ関連情報が受信される。このように、ランダム・アクセスの問題が発生しているＢＷＰが判定される。
【０１１３】
図１１は、一実施例による別のＢＷＰに基づく動作装置を示すブロック図である。図１１に示されるように、図９に示される実施例に基づいて、受信モジュール９１は第３の受信サブモジュール９１４を含んでもよい。
【０１１４】
第３の受信サブモジュール９１４は、ＵＥから、ランダム・アクセスの問題が発生しているＢＷＰを示す第４の指示情報を含む、ＳＣＧ障害情報を受信するように構成される。
【０１１５】
上述の実施例では、ＳＣＧ障害情報をＵＥから受信することによって、ランダム・アクセスの問題が発生しているＢＷＰが判定される。
【０１１６】
図１２は、一実施例による別のＢＷＰに基づく動作装置を示すブロック図である。図１２に示されるように、図９に示される実施例に基づいて、装置は、第１の判定モジュール９３または第２の判定モジュール９４を更に含んでもよい。
【０１１７】
第１の判定モジュール９３は、ランダム・アクセスの問題が発生しているＢＷＰに関する報告がＵＥから受信されておらず、現在作動しているＢＷＰにランダム・アクセス資源があることに応答して、現在作動しているＢＷＰがランダム・アクセスの問題が発生しているＢＷＰであると判定するように構成される。
【０１１８】
第２の判定モジュール９４は、ランダム・アクセスの問題が発生しているＢＷＰに関する報告がＵＥから受信されておらず、現在作動しているＢＷＰにランダム・アクセス資源がないことに応答して、初期のＢＷＰがランダム・アクセスの問題が発生しているＢＷＰであると判定するように構成される。
【０１１９】
動作モジュール９２は、ＵＥに対して、第１の判定モジュール９３もしくは第２の判定モジュール９４が判定したランダム・アクセスの問題が発生しているＢＷＰのランダム・アクセス・パラメータを再構成するか、または、第１の判定モジュール９３もしくは第２の判定モジュール９４が判定したＢＷＰに対応するランダム・アクセスの問題を別のデータ収集エンティティに報告して、ランダム・アクセスの問題の原因を判定するように、更に構成される。
【０１２０】
上述の実施例では、ランダム・アクセスの問題が発生しているＢＷＰがＵＥから受信されておらず、一方で現在作動しているＢＷＰにランダム・アクセス資源があるとき、現在作動しているＢＷＰがランダム・アクセスの問題が発生しているＢＷＰであると判定される。ランダム・アクセスの問題が発生しているＢＷＰがＵＥから受信されておらず、一方で現在作動しているＢＷＰにランダム・アクセス資源がないとき、初期のＢＷＰがランダム・アクセスの問題が発生しているＢＷＰであると判定される。このように、ランダム・アクセスの問題が発生しているＢＷＰがＵＥから受信されていない場合、ランダム・アクセスの問題が発生しているＢＷＰも判定されてもよい。
【０１２１】
図１３は、一実施例による情報を報告するのに適した装置を示すブロック図である。例えば、装置１３００は、携帯電話、コンピュータ、デジタル放送端末、メッセージング・デバイス、ゲーム機、タブレット・デバイス、医療機器、フィットネス器具、個人情報端末などのユーザ機器であってもよい。
【０１２２】
図１３を参照すると、装置１３００は、処理構成要素１３０２、メモリ１３０４、電力構成要素１３０６、マルチメディア構成要素１３０８、音声構成要素１３１０、入出力（Ｉ／Ｏ）インターフェース１３１２、センサ構成要素１３１４、および通信構成要素１３１６のうち１つまたは複数の構成要素を含んでもよい。
【０１２３】
処理構成要素１３０２は、通常、表示、通話、データ通信、カメラ操作、および記録操作と関連付けられた動作など、装置１３００の動作全体を制御する。処理構成要素１３０２は、上述の方法におけるステップの全てまたは一部を実施するために命令を実行する、１つまたは複数のプロセッサ１３２０を含んでもよい。更に、処理構成要素１３０２は、処理構成要素１３０２と他の構成要素との間の相互作用を容易にする、１つまたは複数のモジュールを含んでもよい。例えば、処理構成要素１３０２は、マルチメディア構成要素１３０８と処理構成要素１３０２との間の相互作用を容易にする、マルチメディア・モジュールを含んでもよい。
【０１２４】
処理構成要素１３０２におけるプロセッサ１３２０の１つは、
ランダム・アクセスの問題が発生していると判定し、
基地局に対して、ランダム・アクセスの問題が発生しているＢＷＰを報告するように構成されてもよい。
【０１２５】
メモリ１３０４は、装置１３００における動作をサポートする様々なタイプのデータを格納するように構成される。これらのデータの例としては、装置１３００で動作する任意のアプリケーションまたは方法に対する命令、連絡先データ、電話帳データ、メッセージ、画像、映像などが挙げられる。メモリ１３０４は、スタティック・ランダム・アクセス・メモリ（ＳＲＡＭ）、電気的消去可能プログラマブル読出し専用メモリ（ＥＥＰＲＯＭ）、消去可能プログラマブル読出し専用メモリ（ＥＰＲＯＭ）、プログラマブル読出し専用メモリ（ＰＲＯＭ）、読出し専用メモリ（ＲＯＭ）、磁気メモリ、フラッシュ・メモリ、ディスクもしくは光学ディスクなど、任意のタイプの揮発性もしくは不揮発性記憶デバイス、またはそれらの組み合わせによって実現されてもよい。
【０１２６】
電力構成要素１３０６は、装置１３００の様々な構成要素に電力を提供する。電力構成要素１３０６は、電力管理システム、１つもしくは複数の電源、ならびに装置１３００に対する電力の生成、管理、および分配と関連付けられる他の構成要素を含んでもよい。
【０１２７】
マルチメディア構成要素１３０８は、装置１３００とユーザとの間に出力インターフェースを提供する画面を含む。いくつかの実施例では、画面は液晶ディスプレイ（ＬＣＤ）とタッチ・パネル（ＴＰ）とを含んでもよい。画面がタッチ・パネルを含む場合、画面は、入力信号をユーザから受信するタッチ画面として実現されてもよい。タッチ・パネルは、タッチ・パネル上でのタッチ、スライド、およびジェスチャーを感知する、１つまたは複数のタッチ・センサを含む。タッチ・センサは、タッチまたはスライド作用の境界を感知するだけでなく、タッチまたはスライド動作と関連付けられる持続時間および圧力も検出してもよい。いくつかの実施例では、マルチメディア構成要素１３０８は前方カメラおよび／または後方カメラを含む。装置１３００が、撮影モードまたはビデオ・モードなどの動作モードのとき、前方カメラおよび／または後方カメラは外部マルチメディア・データを受信してもよい。前方および後方カメラはそれぞれ、固定の光学レンズ系であるか、または焦点距離および光学ズーム能力を有してもよい。
【０１２８】
音声構成要素１３１０は、音声信号を出力および／または入力するように構成される。例えば、音声構成要素１３１０は、装置１３００が、通話モード、記録モード、および音声認識モードなどの動作モードのとき、外部音声信号を受信するように構成されたマイクロフォン（ＭＩＣ）を含む。受信した音声信号は更に、メモリ１３０４に格納されるか、または通信構成要素１３１６を介して送信されてもよい。いくつかの実施例では、音声構成要素１３１０は、音声信号を出力するラウドスピーカーも含む。
【０１２９】
Ｉ／Ｏインターフェース１３１２は、処理構成要素１３０２と、キーボード、クリック・ホイール、ボタンなどであり得る周辺インターフェース・モジュールとの間に、インターフェースを提供する。ボタンは、ホーム・ボタン、音量ボタン、スタート・ボタン、およびロック・ボタンなどを含んでもよいが、それらに限定されない。
【０１３０】
センサ構成要素１３１４は、装置１３００の様々な態様における状態評価を提供する１つまたは複数のセンサを含む。例えば、センサ構成要素１３１４は、装置１３００の開閉状態、例えば構成要素の相対的な位置付けを検出してもよく、構成要素は、装置１３００のディスプレイおよびキーパッドである。センサ構成要素１３１４はまた、装置１３００または装置１３００の構成要素の位置の変化、装置１３００と接触しているユーザが存在するかどうか、装置１３００の配向または加速／減速、ならびに装置１３００の温度変化を検出してもよい。センサ構成要素１３１４は、物理的に接触していない近隣オブジェクトの存在を検出するように構成された近接センサを含んでもよい。センサ構成要素１３１４はまた、ＣＭＯＳまたはＣＣＤ画像センサなど、撮像用途に使用される光センサを含んでもよい。いくつかの実施例では、センサ構成要素１３１４はまた、加速度計センサ、ジャイロ・センサ、磁気センサ、圧力センサ、または温度センサを含んでもよい。
【０１３１】
通信構成要素１３１６は、装置１３００と他のデバイスとの間の、有線または無線の通信を容易にするように構成される。装置１３００は、ＷｉＦｉ、２Ｇ、もしくは３Ｇ、またはそれらの組み合わせなどの通信規格に基づいて、無線ネットワークにアクセスしてもよい。一実施例では、通信構成要素１３１６は、放送信号または放送関連情報を、外部放送管理システムから放送チャネルを介して受信する。一実施例では、通信構成要素１３１６はまた、短距離通信を容易にする近距離通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術、および他の技術に基づいて実現されてもよい。
【０１３２】
一実施例では、装置１３００は、上述の方法を実施するため、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、コントローラ、マイクロコントローラ、マイクロプロセッサ、または他の電子要素を用いて実現されてもよい。
【０１３３】
一実施例では、上述したような方法を実施するために装置１３００のプロセッサ１３２０によって実行可能な命令を含むメモリ１３０４など、命令を含む非一時的コンピュータ可読記憶媒体も提供される。例えば、非一時的コンピュータ可読記憶媒体は、ＲＯＭ、ランダム・アクセス・メモリ（ＲＡＭ）、ＣＤ−ＲＯＭ、磁気テープ、フロッピー・ディスク、光学データ記憶デバイスであってもよい。
【０１３４】
図１４は、一実施例によるＢＷＰに基づいて動作するのに適した装置を示すブロック図である。装置１４００は基地局に提供されてもよい。図１４を参照すると、装置１４００は、処理構成要素１４２２と、無線送信／受信構成要素１４２４と、アンテナ構成要素１４２６と、無線インターフェース専用の信号処理部とを含む。処理構成要素１４２２は１つまたは複数のプロセッサを更に含んでもよい。
【０１３５】
処理構成要素１４２２におけるプロセッサの１つは、
ＵＥから、ランダム・アクセスの問題が発生しているＢＷＰを受信し、
ＵＥに対して、ランダム・アクセスの問題が発生しているＢＷＰのランダム・アクセス・パラメータを再構成するか、または、ランダム・アクセスの問題を別のデータ収集エンティティに報告して、ランダム・アクセスの問題の原因を判定するように、構成されてもよい。
【０１３６】
一実施例では、上述したような帯域幅部分（ＢＷＰ）に基づく動作方法を実施するために装置１４００の処理構成要素１４２２によって実行可能なコンピュータ命令が格納された、非一時的コンピュータ可読記憶媒体も提供される。例えば、非一時的コンピュータ可読記憶媒体は、ＲＯＭ、ランダム・アクセス・メモリ（ＲＡＭ）、ＣＤ−ＲＯＭ、磁気テープ、フロッピー・ディスク、光学データ記憶デバイスであってもよい。
【０１３７】
装置の実施例に関しては、基本的に方法の実施例に対応するので、方法の実施例の部分的説明を参照することができる。上述の装置の実施例は単なる例証であり、別個の構成要素として記載したユニットが物理的に別個であってもなくてもよく、ユニットとして表示した構成要素が物理的なユニットであってもなくてもよく、即ち、１つの場所に配置されてもよく、または複数のネットワーク・ユニットに分配されてもよい。モジュールの一部または全ては、本開示の目的を達成するための実際の必要性にしたがって選択されてもよい。当業者であれば、創造的労力を何ら払うことなく本開示を理解し実現することができる。
【０１３８】
「第１の」および「第２の」などの関連語は、本明細書で使用するとき、かかる関係または順序が実際にエンティティ間もしくは動作間に存在することを必要とするかまたはそれを示唆するものではなく、単に１つのエンティティまたは動作を別のエンティティまたは動作と区別するためのものであることに留意されたい。また、「〜を含む」、「〜を具備する」といった用語、またはそれらの変形は非排他的包含を含むことを意図するので、一連の要素を含むプロセス、方法、物品、もしくはデバイスは、それらの要素だけでなく、明示的に列挙されていない他の要素、またはかかるプロセス、方法、物品、もしくはデバイスに固有の要素も含む。更に限定するものではないが、「〜を含む」という表現によって定義される要素は、要素を含むプロセス、方法、物品、もしくはデバイスに存在するのと同じ追加の要素を含むことを除外しないものとする。
【０１３９】
本明細書に開示される詳述を考察し内容を実践すれば、本開示の他の実施形態が当業者には容易に明白となるであろう。本出願は、本開示の一般原理に従い、また本開示において開示されない当該分野における共通の知識または従来の技術的手段を含む、本開示のあらゆる変形、使用、または適応を包含するものとする。本明細書および実施例は単なる例証と見なされるべきものである。本開示の真の範囲および趣旨は以下の請求の範囲によって列挙される。
【０１４０】
本開示は、ここまで記載してきて図面に図示してきた正確な構造に限定されず、本開示の範囲から逸脱することなく様々な修正および変更を行い得ることが理解されるべきである。本開示の範囲は、添付の請求の範囲によってのみ限定されるべきである。
【図１】
2021517419.tif 000003
【図２】
2021517419.tif 000004
【図３】
2021517419.tif 000005
【図４】
2021517419.tif 000006
【図５】
2021517419.tif 000007
【図６】
2021517419.tif 000008
【図７】
2021517419.tif 000009
【図８】
2021517419.tif 000010
【図９】
2021517419.tif 000011
【図１０】
2021517419.tif 000012
【図１１】
2021517419.tif 000013
【図１２】
2021517419.tif 000014
【図１３】
2021517419.tif 000015
【図１４】
2021517419.tif 000016
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）に適用可能な、情報を報告する方法であって、
ランダム・アクセスの問題が発生していると判定することと、
基地局に対して、該ランダム・アクセスの問題が発生している帯域幅部分（ＢＷＰ）を報告することと、を含む、方法。
【請求項２】
前記ランダム・アクセスの問題が発生していると判定することが、
ランダム・アクセスがマスタ・セル・グループ（ＭＣＧ）のプライマリ・セル（ＰＣｅｌｌ）で開始され、ランダム・アクセス・プリアンブルの送信回数が最大送信回数に達したことに応答して、前記ランダム・アクセスの問題が発生していることを示す第１の指示情報を、ＭＣＧ媒体アクセス制御（ＭＡＣ）レイヤから無線リソース制御（ＲＲＣ）レイヤに伝送することを含み、
前記基地局に対して、前記ランダム・アクセスの問題が発生している前記ＢＷＰを報告することが、
該ＲＲＣレイヤが該第１の指示情報を受信することと、
該ＲＲＣレイヤが、該第１の指示情報にしたがって、前記ランダム・アクセスの問題が発生している前記ＢＷＰへの指示を含むＭＣＧ無線リンク障害（ＲＬＦ）関連情報を格納することと、を含む、請求項１記載の方法。
【請求項３】
前記基地局に対して、前記ランダム・アクセスの問題が発生している前記ＢＷＰを報告することが、
接続確立、接続回復、または接続再確立を含む次の接続動作が開始される際に、前記ＵＥが前記ＭＣＧ  ＲＬＦ関連情報を格納していることを示す第２の指示情報を、前記基地局に伝送することと、
前記基地局から、前記ＭＣＧ  ＲＬＦ関連情報を獲得する要求を受信することと、
該要求に応答して、前記ＭＣＧ  ＲＬＦ関連情報を前記基地局に報告することと、を更に含む、請求項２記載の方法。
【請求項４】
前記ランダム・アクセスの問題が発生していると判定することが、
ランダム・アクセスがセカンダリ・セル・グループ（ＳＣＧ）のプライマリ・セカンダリ・セル（ＰＳＣｅｌｌ）で開始され、ランダム・アクセス・プリアンブルの送信回数が最大送信回数に達したことに応答して、前記ランダム・アクセスの問題が発生していることを示す第３の指示情報を、ＳＣＧ  ＭＡＣレイヤからＲＲＣレイヤに伝送することを含み、
前記基地局に対して、前記ランダム・アクセスの問題が発生している前記ＢＷＰを報告することが、
該ＲＲＣレイヤが該第３の指示情報を受信することと、
該ＲＲＣレイヤが、該第３の指示情報にしたがって、前記ランダム・アクセスの問題が発生している前記ＢＷＰを示す第４の指示情報を含む、ＳＣＧ障害情報を報告することと、を含む、請求項１記載の方法。
【請求項５】
前記基地局に対して、前記ランダム・アクセスの問題が発生している前記ＢＷＰを報告することが、
現在作動しているＢＷＰにランダム・アクセス資源があり、前記ランダム・アクセスの問題が発生している前記ＢＷＰが該現在作動しているＢＷＰではないことに応答して、前記基地局に対して、前記ランダム・アクセスの問題が発生している前記ＢＷＰを報告すること、または、
該現在作動しているＢＷＰにランダム・アクセス資源がなく、前記ランダム・アクセスの問題が発生している前記ＢＷＰが初期のＢＷＰではないことに応答して、前記基地局に対して、前記ランダム・アクセスの問題が発生している前記ＢＷＰを報告すること、を含む、請求項１記載の方法。
【請求項６】
前記ランダム・アクセスの問題が発生している前記ＢＷＰが、
前記ランダム・アクセスの問題が発生しているアップリンクＢＷＰ、または、
前記ランダム・アクセスの問題が発生しているダウンリンクＢＷＰ、の少なくとも１つを含む、請求項２から５のいずれか一項記載の方法。
【請求項７】
基地局に適用可能な、帯域幅部分（ＢＷＰ）に基づく動作方法であって、
ＵＥから、ランダム・アクセスの問題が発生しているＢＷＰへの指示を受信することと、
該ＵＥに対して、該ランダム・アクセスの問題が発生している該ＢＷＰのランダム・アクセス・パラメータを再構成すること、または、該ランダム・アクセスの問題を別のデータ収集エンティティに報告して、該ランダム・アクセスの問題の原因を判定することと、を含む、方法。
【請求項８】
ＵＥに適用可能な、情報を報告する装置であって、
ランダム・アクセスの問題が発生していると判定するように構成された、判定モジュールと、
基地局に対して、該判定モジュールが判定した該ランダム・アクセスの問題が発生しているＢＷＰを報告するように構成された、報告モジュールと、を備える、装置。
【請求項９】
前記判定モジュールが、
ランダム・アクセスがＭＣＧのＰＣｅｌｌで開始され、ランダム・アクセス・プリアンブルの送信回数が最大送信回数に達したことに応答して、前記ランダム・アクセスの問題が発生していることを示す第１の指示情報をＲＲＣレイヤに伝送するように構成された、第１の判定サブモジュールを備え、
前記報告モジュールが、
該第１の指示情報を受信し、該第１の指示情報にしたがって、前記ランダム・アクセスの問題が発生している前記ＢＷＰへの指示を含むＭＣＧ  ＲＬＦ関連情報を格納するように構成された、受信および格納サブモジュールを備える、請求項８記載の装置。
【請求項１０】
前記報告モジュールが、
接続確立、接続回復、または接続再確立を含む次の接続動作が開始される際に、前記ＵＥが前記ＭＣＧ  ＲＬＦ関連情報を格納していることを示す第２の指示情報を、前記基地局に伝送するように構成された、第１の伝送サブモジュールと、
前記基地局から、前記ＭＣＧ  ＲＬＦ関連情報を獲得する要求を受信するように構成された、第１の受信サブモジュールと、
該第１の受信サブモジュールが受信した該要求に応答して、前記ＭＣＧ  ＲＬＦ関連情報を前記基地局に報告するように構成された、第１の報告サブモジュールと、を更に備える、請求項９記載の装置。
【請求項１１】
前記判定モジュールが、
前記ランダム・アクセスがＳＣＧのＰＳＣｅｌｌで開始され、ランダム・アクセス・プリアンブルの送信回数が最大送信回数に達したことに応答して、前記ランダム・アクセスの問題が発生していることを示す第３の指示情報をＲＲＣレイヤに伝送するように構成された、第２の判定サブモジュールを備え、
前記報告モジュールが、
該第３の指示情報を受信し、該第３の指示情報にしたがって、前記ランダム・アクセスの問題が発生している前記ＢＷＰを示す第４の指示情報を含む、ＳＣＧ障害情報を報告するように構成された、第２の報告サブモジュールを備える、請求項８記載の装置。
【請求項１２】
前記報告モジュールが、
現在作動しているＢＷＰにランダム・アクセス資源があり、前記ランダム・アクセスの問題が発生している前記ＢＷＰが該現在作動しているＢＷＰではないことに応答して、前記基地局に対して、前記ランダム・アクセスの問題が発生している前記ＢＷＰを報告するように構成された、第３の報告サブモジュール、または、
該現在作動しているＢＷＰにランダム・アクセス資源がなく、前記ランダム・アクセスの問題が発生している前記ＢＷＰが初期ＢＷＰではないことに応答して、前記基地局に対して、前記ランダム・アクセスの問題が発生している前記ＢＷＰを報告するように構成された、第４の報告サブモジュール、を備える、請求項８記載の装置。
【請求項１３】
前記ランダム・アクセスの問題が発生している前記ＢＷＰが、
前記ランダム・アクセスの問題が発生しているアップリンクＢＷＰ、または、
前記ランダム・アクセスの問題が発生しているダウンリンクＢＷＰ、の少なくとも１つを含む、請求項９から１２のいずれか一項記載の装置。
【請求項１４】
基地局に適用可能な、帯域幅部分（ＢＷＰ）に基づく動作装置であって、
ＵＥから、ランダム・アクセスの問題が発生しているＢＷＰへの指示を受信するように構成された、受信モジュールと、
該ＵＥに対して、該受信モジュールが受信した該ランダム・アクセスの問題が発生している該ＢＷＰのランダム・アクセス・パラメータを再構成するか、または、該受信モジュールが受信した該ＢＷＰに対応する該ランダム・アクセスの問題を別のデータ収集エンティティに報告して、該ランダム・アクセスの問題の原因を判定するように構成された、動作モジュールと、を備える、装置。
【請求項１５】
プロセッサと、
該プロセッサによって実行可能な命令を格納するメモリとを備え、
該プロセッサが、
ランダム・アクセスの問題が発生していると判定し、
基地局に対して、該ランダム・アクセスの問題が発生しているＢＷＰを報告するように構成された、ユーザ機器。
【請求項１６】
プロセッサと、
該プロセッサによって実行可能な命令を格納するメモリとを備え、
該プロセッサが、
ＵＥから、ランダム・アクセスの問題が発生しているＢＷＰを受信し、
該ＵＥに対して、該ランダム・アクセスの問題が発生している該ＢＷＰのランダム・アクセス・パラメータを再構成するか、または、該ランダム・アクセスの問題を別のデータ収集エンティティに報告して、該ランダム・アクセスの問題の原因を判定するように構成された、基地局。
【請求項１７】
請求項１から６のいずれか一項記載の前記情報を報告する方法を実施するためにプロセッサによって実行されるコンピュータ命令を格納する、コンピュータ可読記憶媒体。
【請求項１８】
請求項８に記載の前記ＢＷＰに基づく動作方法を実施するためにプロセッサによって実行されるコンピュータ命令を格納する、コンピュータ可読記憶媒体。
【国際調査報告】
2021517419.tif 000017
2021517419.tif 000018
2021517419.tif 000019
2021517419.tif 000020
2021517419.tif 000021
2021517419.tif 000022